【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
ａ）５μｍないし５００μｍの全厚、
ｂ）単層構成又は二層ないし九層の共押出層（coextruded layers)、
ｃ）ポリプロピレンホモポリマー、ポリプロピレンランダムコポリマー、複相ポリプロピレンブロックコポリマー、又はそれらの任意の混合物からなる群から選択されたポリマーを含む少なくとも一層の層Ｌであって、前記ポリマーが、２３０℃及び２．１６ｋｇにおける０．１ｄｇ／分ないし１０ｄｇ／分の、ＡＳＴＭ  Ｄ−１２３８に基づくメルトフローレートを有し、前記層Ｌは更に、前記ポリマーの質量に対して、式（ＩＡ）、（ＩＢ）又は（ＩＣ）で表わされる核剤０．００１％ないし２％を含み、
前記式（ＩＡ）、（ＩＢ）及び（ＩＣ）の意味は、下記：
【化１】
2009537641.tif 000001
［式中、
ｘ及びｙは整数２ないし６を表わし、
ｚ及びｚ”は互いに独立して、整数１ないし５を表わすが、但し、ｚ及びｚ”の合計は整数２ないし６を表わし、
Ｘ0 は、
３個ないし２５個の炭素原子を有する飽和又は不飽和脂肪族ポリカルボン酸のｘ個のカルボキシル基の脱離により形成される残基、
７個ないし２５個の炭素原子を有する飽和又は不飽和脂環式ポリカルボン酸のｘ個のカルボキシル基の脱離により形成される残基、又は
８個ないし２５個の炭素原子を有する芳香族ポリカルボン酸のｘ個のカルボキシル基の脱離により形成される残基を表わし、
如何なる前記ポリカルボン酸も所望により、その骨核中に更なるヘテロ原子を含み、
基Ｘ1 は互いに独立して、
非置換或いは一つ又はそれより多くのヒドロキシ基、アミノ基及び／又はニトロ基により置換された炭素原子数１ないし２０のアルキル基、
非置換或いは一つ又はそれより多くのヒドロキシ基、アミノ基及び／又はニトロ基により置換された炭素原子数２ないし２０のアルケニル基、
酸素原子又は硫黄原子により中断された炭素原子数２ないし２０のアルケニル基、
非置換或いは一つ又はそれより多くの炭素原子数１ないし２０のアルキル基により置換された炭素原子数３ないし２０のシクロアルキル基、
非置換或いは一つ又はそれより多くの炭素原子数１ないし２０のアルキル基により置換された（炭素原子数３ないし１２のシクロアルキル）−炭素原子数１ないし１０のアルキル基、
非置換或いは一つ又はそれより多くの炭素原子数１ないし２０のアルキル基により置換されたビス（炭素原子数３ないし１２のシクロアルキル）−炭素原子数１ないし１０のアルキル基、
非置換或いは一つ又はそれより多くの炭素原子数１ないし２０のアルキル基により置換された、５個ないし２０個の炭素原子を持つ、二環式又は三環式炭化水素基、
非置換或いは、炭素原子数１ないし２０のアルキル基、炭素原子数１ないし２０のアル
コキシ基、炭素原子数１ないし２０のアルキルアミノ基、ジ（炭素原子数１ないし２０のアルキル）アミノ基、アミノ基、ヒドロキシ基及びニトロ基から選択された一つ又はそれより多くの基により置換されたフェニル基、
非置換或いは、炭素原子数１ないし２０のアルキル基、炭素原子数３ないし１２のシクロアルキル基、フェニル基、炭素原子数１ないし２０のアルコキシ基、アミノ基、ヒドロキシ基及びニトロ基から選択された一つ又はそれより多くの基により置換されたフェニル−炭素原子数１ないし２０のアルキル基、
非置換或いは一つ又はそれより多くの炭素原子数１ないし２０のアルキル基により置換されたフェニルエテニル基、
非置換或いは一つ又はそれより多くの炭素原子数１ないし２０のアルキル基により置換されたビフェニル−（炭素原子数１ないし１０のアルキル）基、
非置換或いは一つ又はそれより多くの炭素原子数１ないし２０のアルキル基により置換されたナフチル基、
非置換或いは一つ又はそれより多くの炭素原子数１ないし２０のアルキル基により置換されたナフチル−（炭素原子数１ないし２０のアルキル）基、
非置換或いは一つ又はそれより多くの炭素原子数１ないし２０のアルキル基により置換されたナフトキシメチル基、
ビフェニレニル基、フルオレニル基、アントリル基、
非置換或いは一つ又はそれより多くの炭素原子数１ないし２０のアルキル基により置換された５−又は６−員ヘテロ環式基、
一つ又はそれより多くのハロゲン原子又は疑似ハロゲン原子を含む炭素原子数１ないし２０の炭化水素基、
トリ（炭素原子数１ないし１０のアルキル）シリル基、或いは
トリ（炭素原子数１ないし１０のアルキル）シリル（炭素原子数１ないし１０のアルキル）基を表わし、
Ｙ0 は、
３個ないし２５個の炭素原子を有する飽和又は不飽和脂肪族ポリアミンのｙ個のアミノ基の脱離により形成される残基、
６個ないし２５個の炭素原子を有する飽和又は不飽和脂環式ポリアミンのｙ個のアミノ基の脱離により形成される残基、或いは
６個ないし２５個の炭素原子を有する芳香族ポリアミンのｙ個のアミノ基の脱離により形成される残基を表わし、
如何なる前記ポリアミンも所望により、その骨核中に更なるヘテロ原子を含み、
基Ｙ1 は互いに独立して、Ｘ1 の定義の一つを有し、
Ｚ0 は、
２個ないし２５個の炭素原子を有する不飽和又は飽和脂肪族アミノカルボン酸のｚ’個のアミノ基及びｚ”個のカルボキシル基の脱離により形成される残基、
７個ないし２５個の炭素原子を有する飽和又は不飽和脂環式アミノカルボン酸のｚ’個のアミノ基及びｚ”個のカルボキシル基の脱離により形成される残基、或いは
７個ないし２５個の炭素原子を有する芳香族アミノカルボン酸のｚ’個のアミノ基及びｚ”個のカルボキシル基の脱離により形成される残基を表わし、
如何なる前記アミノカルボン酸も所望により、その骨核中に更なるヘテロ原子を含み、そして
基Ｚ1 及び基Ｚ2 は互いに独立して、Ｘ1 に対して与えられた定義の一つを有する。］のものである少なくとも一層の層Ｌ
を有する、押し出され空冷されたインフレートフィルム。
【請求項２】
フィルム構成が、ポリプロピレン層に隣接する、低密度ポリエチレン、直鎖状低密度ポリエチレン又は高密度ポリエチレン（ＬＤＰＥ、ＬＬＤＰＥ、ＨＤＰＥ）或いはメタロセンポリエチレンからなる少なくとも一層の共押出層を含む、請求項１記載の押し出され空
冷されたインフレートフィルム。
【請求項３】
一層又はそれより多くの層がエチレンビニルアルコールコポリマー（ＥＶＯＨ）、エチレン酢酸ビニルコポリマー（ＥＶＡ）、マレイン酸無水物がグラフトされたポリプロピレン又はポリエチレン、アクリル酸エステルとプロピレン又はエチレンとのコポリマー、プロピレン又はエチレンとのアクリル酸コポリマー、ポリ塩化ビニリデン（ＰＶＤＣ）、ポリアミド又はポリエステルを含む、請求項１記載の押し出され空冷されたインフレートフィルム。
【請求項４】
１）抗凝集剤、
２）酸化防止剤、
３）帯電防止剤、
４）スリップ剤及び粘着防止剤、
５）防曇剤、並びに
６）光安定剤
からなる群から選択された一種又はそれより多くの添加剤を含む、請求項１記載の押し出され空冷されたインフレートフィルム。
【請求項５】
前記核剤が式（ＩＡ）で表わされる化合物であり、
ｘが２又は３であり、
ｘが２の場合は、
Ｘ0 は次式：
【化２】
2009537641.tif 000002
で表わされる基を表わし、そして
ｘが３の場合は、
Ｘ0 は次式：
【化３】
2009537641.tif 000003
で表わされる基を表わし、そして
基Ｘ1 は互いに独立して、ｎ−プロピル基、イソプロピル基、ｎ−ブチル基、１，１−ジメチルエチル基、１−メチルプロピル基、２−メチルプロピル基、ｎ−ペンチル基、１，１−ジメチルプロピル基、１，２−ジメチルプロピル基、２，２−ジメチルプロピル基、１−エチルプロピル基、１−メチルブチル基、２−メチルブチル基、３−メチルブチル基、ｎ−ヘキシル基、２，２−ジメチルブチル基、３，３−ジメチルブチル基、２−エチルブチル基、２−エチルヘキシル基、５−エチルヘキシル基、ｎ−オクチル基、１，１，３，３−テトラメチルブチル基、２，２，４−トリメチルペンチル基、３，７−ジメチルオクチル基、シクロブチル基、シクロペンチル基、シクロヘキシル基、２−メチル−シクロヘキシル基、３−メチル−シクロヘキシル基、４−メチル−シクロヘキシル基、２，３−ジメチル−シクロヘキシル基、３，３，５−トリメチル−シクロヘキシル基、１−シクロヘキシル−エチル基、シクロヘプチル基、シクロオクチル基、シクロドデシル基、フェニル基、ベンジル基、１−フェニルエチル基、２−フェニルエチル基、クミル基、２−メチルフェニル基、３−メチルフェニル基、４−メチルフェニル基、２−エチルフェニル基
、３−エチルフェニル基、４−エチルフェニル基、２，３−ジメチルフェニル基、３，５−ジメチルフェニル基、２，３，５−トリメチルフェニル基、２，４，６−トリメチルフェニル基、４−ｎ−ブチルフェニル基、４−第三ブチルフェニル基、４−メトキシフェニル基を表わす、請求項１記載の押し出され空冷されたインフレートフィルム。
【請求項６】
前記核剤が式（ＩＢ）で表わされる化合物であり、
ｙが２又は３であり、
ｙが２の場合は、
Ｙ0 は次式：
【化４】
2009537641.tif 000004
で表わされる基を表わし、そして
ｙが３の場合は、
Ｙ0 は次式：
【化５】
2009537641.tif 000005
で表わされる基を表わし、そして
基Ｙ1 は互いに独立して、ｎ−プロピル基、イソプロピル基、ｎ−ブチル基、１，１−ジメチルエチル基、１−メチルプロピル基、２−メチルプロピル基、ｎ−ペンチル基、１，１−ジメチルプロピル基、１，２−ジメチルプロピル基、２，２−ジメチルプロピル基、１−エチルプロピル基、１−メチルブチル基、２−メチルブチル基、３−メチルブチル基、ｎ−ヘキシル基、２，２−ジメチルブチル基、３，３−ジメチルブチル基、２−エチルブチル基、２−エチルヘキシル基、５−エチルヘキシル基、ｎ−オクチル基、１，１，３，３−テトラメチルブチル基、２，２，４−トリメチルペンチル基、３，７−ジメチルオクチル基、シクロブチル基、シクロペンチル基、シクロヘキシル基、２−メチル−シクロヘキシル基、３−メチル−シクロヘキシル基、４−メチル−シクロヘキシル基、２，３−ジメチル−シクロヘキシル基、３，３，５−トリメチル−シクロヘキシル基、１−シクロヘキシル−エチル基、シクロヘプチル基、シクロオクチル基、シクロドデシル基、フェニル基、ベンジル基、１−フェニルエチル基、２−フェニルエチル基、クミル基、２−メチルフェニル基、３−メチルフェニル基、４−メチルフェニル基、２−エチルフェニル基、３−エチルフェニル基、４−エチルフェニル基、２，３−ジメチルフェニル基、３，５−ジメチルフェニル基、２，３，５−トリメチルフェニル基、２，４，６−トリメチルフェニル基、４−ｎ−ブチルフェニル基、４−第三ブチルフェニル基、４−メトキシフェニル基を表わす、請求項１記載の押し出され空冷されたインフレートフィルム。
【請求項７】
前記核剤が式（ＩＣ）で表わされる化合物であり、
ｚ及びｚ”が互いに独立して１又は２であり、そして
ｚ及びｚ”の合計が２の場合は、
Ｚ0 は次式：
【化６】
2009537641.tif 000006
で表わされる基を表わし、そして
ｚ及びｚ”の合計が３の場合は、
Ｚ0 は次式：
【化７】
2009537641.tif 000007
で表わされる基を表わし、そして
基ｚ及びｚ”は互いに独立して、ｎ−プロピル基、イソプロピル基、ｎ−ブチル基、１，１−ジメチルエチル基、１−メチルプロピル基、２−メチルプロピル基、ｎ−ペンチル基、１，１−ジメチルプロピル基、１，２−ジメチルプロピル基、２，２−ジメチルプロピル基、１−エチルプロピル基、１−メチルブチル基、２−メチルブチル基、３−メチルブチル基、ｎ−ヘキシル基、２，２−ジメチルブチル基、３，３−ジメチルブチル基、２−エチルブチル基、２−エチルヘキシル基、５−エチルヘキシル基、ｎ−オクチル基、１，１，３，３−テトラメチルブチル基、２，２，４−トリメチルペンチル基、３，７−ジメチルオクチル基、シクロブチル基、シクロペンチル基、シクロヘキシル基、２−メチル−シクロヘキシル基、３−メチル−シクロヘキシル基、４−メチル−シクロヘキシル基、２，３−ジメチル−シクロヘキシル基、３，３，５−トリメチル−シクロヘキシル基、１−シクロヘキシル−エチル基、シクロヘプチル基、シクロオクチル基、シクロドデシル基、フェニル基、ベンジル基、１−フェニルエチル基、２−フェニルエチル基、クミル基、２−メチルフェニル基、３−メチルフェニル基、４−メチルフェニル基、２−エチルフェニル基、３−エチルフェニル基、４−エチルフェニル基、２，３−ジメチルフェニル基、３，５−ジメチルフェニル基、２，３，５−トリメチルフェニル基、２，４，６−トリメチルフェニル基、４−ｎ−ブチルフェニル基、４−第三ブチルフェニル基、４−メトキシフェニル基を表わす、請求項１記載の押し出され空冷されたインフレートフィルム。
【請求項８】
前記核剤が、式中、
ｘが３であり、Ｘ0 が次式：
【化８】
2009537641.tif 000008
で表わされる基を表わし、そしてＸ1 が第三オクチル基を表わす、式（ＩＡ）で表わされる化合物である、請求項１記載の押し出され空冷されたインフレートフィルム。
【請求項９】
前記核剤が、式中、
ｙが３であり、Ｙ0 が次式：
【化９】
2009537641.tif 000009
で表わされる基を表わし、そしてＹ1 が第三オクチル基を表わす、式（ＩＢ）で表わされる化合物である、請求項１記載の押し出され空冷されたインフレートフィルム。
【請求項１０】
ａ）５μｍないし５００μｍの全厚、
ｂ）単層構成又は二層ないし九層の共押出層（coextruded layers)、
ｃ）ポリプロピレンホモポリマー、ポリプロピレンランダムコポリマー、複相ポリプロピレンブロックコポリマー、又はそれらの任意の混合物からなる群から選択されたポリマーを含む少なくとも一層の層Ｌであって、前記ポリマーが、２３０℃及び２．１６ｋｇにおける０．１ないし１０ｄｇ／分の、ＡＳＴＭ  Ｄ−１２３８に基づくメルトフローレートを有する少なくとも一層の層Ｌ、
を有する、押し出され空冷されたインフレートフィルムのＥＮ  ＩＳＯ  ５２７に基づく弾性率を、核剤を含まない対照フィルムに対して少なくとも１０％向上させる方法であって、
前記ポリマーの質量に対して、請求項１において定義された式（ＩＡ）、（ＩＢ）又は（ＩＣ）で表わされる核剤０．００１％ないし２％を前記ポリマーに配合することからなる方法。
【請求項１１】
請求項１において定義された押し出され空冷されたインフレートフィルムを含む物品であって、梱包材、工業材、衛生用又は医用素材、装飾材又は実用材、或いは農業材料である物品。
【請求項１２】
Ｍ−Ｉ）キャリヤー材料としてのポリエチレン又はポリプロピレン、
Ｍ−ＩＩ）成分Ｍ−Ｉ）の質量に対して、請求項１において定義された式（ＩＡ）、（ＩＢ）又は（ＩＣ）で表わされる核剤０．１％ないし２５％、及び
Ｍ−ＩＩＩ）成分Ｍ−ＩＩ）の質量に対して、質量比２０／１ないし１／１０における、一種又はそれより多くの抗凝集剤、及び
Ｍ−ＩＶ）成分Ｍ−Ｉ）の質量に対して、酸化防止剤、帯電防止剤、スリップ剤及び粘着防止剤、防曇剤、並びに光安定剤からなる群から選択された一種又はそれより多くの共添加剤、
を含むマスターバッチ。